(57)【要約】【課題】複数のユーザに使用される共有端末の状態が変更された場合であっても、簡便に共有端末の状態を所定の状態に戻す。【解決手段】管理サーバは、共有端末に取り付けられた無線端末の位置情報を取得する取得手段と、前記共有端末からの当該共有端末のリセット要否の問合わせを受け付ける受付手段と、前記問合わせを受け付けた場合、該問合わせを行った共有端末からの前回の問合わせを受け付けた時から現時点までの間に取得された前記共有端末に取り付けられた無線端末の位置情報と、前記共有端末が保管される位置に対応する所定の位置情報とに基づき、前記共有端末のリセット要否を判定する判定手段と、前記判定の結果に基づき、前記共有端末におけるリセット処理の実行を制御する制御手段とを有する。【選択図】図９
2015045975.tif 000002
【特許請求の範囲】
【請求項１】
共有端末に取り付けられた無線端末の位置情報を取得する取得手段と、
前記共有端末からの当該共有端末のリセット要否の問合わせを受け付ける受付手段と、
前記問合わせを受け付けた場合、該問合わせを行った共有端末からの前回の問合わせを受け付けた時から現時点までの間に取得された前記共有端末に取り付けられた無線端末の位置情報と、前記共有端末が保管される位置に対応する所定の位置情報とに基づき、前記共有端末のリセット要否を判定する判定手段と、
前記判定の結果に基づき、前記共有端末におけるリセット処理の実行を制御する制御手段とを有する管理サーバ。
【請求項２】
前記判定手段は、
前記前回の問合わせを受け付けた時から現時点までの間に取得された前記共有端末に取り付けられた無線端末の位置情報の中に、前記所定の位置情報が含まれている場合、前記共有端末のリセットが必要であると判定する請求項１記載の管理サーバ。
【請求項３】
前記制御手段は、
前記共有端末のリセットが必要であるとの判定結果である場合、前記共有端末にリセット処理の実行を要求するリセット処理要求を送信する請求項１又は２記載の管理サーバ。
【請求項４】
前記共有端末は、
前記制御手段により送信される前記リセット処理要求を受け付けた場合、当該共有端末においてリセット処理を実行する請求項３記載の管理サーバ。
【請求項５】
前記共有端末は、
当該共有端末と前記管理サーバとの通信に用いられるネットワークとの接続が確認された場合、前記問合わせを前記管理サーバに送信する請求項１乃至４のいずれか一項に記載の管理サーバ。
【請求項６】
前記無線端末の位置情報は、当該無線端末が受信した、所定の場所に設置された配信装置から配信された該配信装置が設置された場所に対応する位置情報である請求項１乃至５のいずれか一項に記載の管理サーバ。
【請求項７】
前記位置情報は、前記配信装置からＩＭＥＳ規格に従って配信された位置情報である請求項６記載の管理サーバ。
【請求項８】
無線端末が取り付けられた共有端末と、該共有端末を管理する管理サーバとを有する管理システムであって、
前記共有端末は、
当該共有端末と前記管理サーバとの通信に用いられるネットワークとの接続が確認された場合、当該共有端末のリセット要否の問合わせを前記管理サーバに送信する問合わせ手段を有し、
前記管理サーバは、
前記共有端末に取り付けられた無線端末の位置情報を取得する取得手段と、
前記共有端末からの前記問合わせを受け付ける受付手段と、
前記問合わせを受け付けた場合、該問合わせを行った共有端末からの前回の問合わせを受け付けた時から現時点までの間に取得された前記共有端末に取り付けられた無線端末の位置情報と、前記共有端末が保管される位置に対応する所定の位置情報とに基づき、前記共有端末のリセット要否を判定する判定手段と、
前記判定の結果に基づき、前記共有端末におけるリセット処理の実行を制御する制御手段とを有する管理システム。
【請求項９】
共有端末におけるリセット処理の実行を制御する管理サーバが行う制御方法であって、
前記共有端末に取り付けられた無線端末の位置情報を取得する取得ステップと、
前記共有端末からの当該共有端末のリセット要否の問合わせを受け付ける受付ステップと、
前記問合わせを受け付けた場合、該問合わせを行った共有端末からの前回の問合わせを受け付けた時から現時点までの間に取得された前記共有端末に取り付けられた無線端末の位置情報と、前記共有端末が保管される位置に対応する所定の位置情報とに基づき、前記共有端末のリセット要否を判定する判定ステップと、
前記判定の結果に基づき、前記共有端末におけるリセット処理の実行を制御する制御ステップとを有する制御方法。
【請求項１０】
コンピュータを、
共有端末に取り付けられた無線端末の位置情報を取得する取得手段、
前記共有端末からの当該共有端末のリセット要否の問合わせを受け付ける受付手段、
前記問合わせを受け付けた場合、該問合わせを行った共有端末からの前回の問合わせを受け付けた時から現時点までの間に取得された前記共有端末に取り付けられた無線端末の位置情報と、前記共有端末が保管される位置に対応する所定の位置情報とに基づき、前記共有端末のリセット要否を判定する判定手段、
前記判定の結果に基づき、前記共有端末におけるリセット処理の実行を制御する制御手段として機能させるプログラム。
【発明の詳細な説明】
【技術分野】
【０００１】
本発明は、管理サーバ、管理システム、制御方法及びプログラムに関する。
【背景技術】
【０００２】
一般に、企業や学校等において、企業等が所有する資産（例えばＰＣ（Ｐｅｒｓｏｎａｌ  Ｃｏｍｐｕｔｅｒ）、携帯端末、プロジェクタ等の画像処理装置、オシロスコープ等の計測器のような電子機器であって、特に移動可能なもの）を、複数のユーザで共有したり、レンタル資産にしたりすることで、所有資産のスリム化を図り、コスト削減を行っている。
【０００３】
しかしながら、例えばレンタル資産の機器は、複数のユーザにより使用されるため、機器に前回の使用時のデータが残ってしまい、機器の状態が変更される場合がある。そのため、残存しているデータが機密性の高い情報を含む場合、第三者にその情報が漏洩してしまうといったセキュリティ上の問題や、不要なデータの蓄積により無駄に記憶容量が使用されてしまうといった問題がある。また、例えば過去にレンタル資産を使用したユーザが機器の設定環境をカスタマイズしている場合、他のユーザが使用する都度、カスタマイズされた設定環境をデフォルト状態に手動で変更する必要があり、そのための作業負担が大きいという問題もある。
【０００４】
そこで、特許文献１には、資産管理の対象となる移動可能な各種ＯＡ機器等の設置状況が効率的、且つ容易に確認されるようにした資産管理システムが開示されている。具体的には、まず、管理サーバに資産と無線タグとの対応関係が事前登録されている状態で、ある資産に付された本来の設置場所（設置開始位置）等のタグ情報が記憶された無線タグが、送受信装置の近傍を通過すると、その送受信装置はその無線タグからタグ情報を読み取り、通過位置等を付加する。次に、管理サーバは、事前登録されているその無線タグの設置開始位置等と、送受信装置により読み取られたタグ情報に含まれる通過位置等との比較照合により、資産の設置位置の変化を管理する。
【０００５】
一方、非特許文献１には、無線端末のＧＰＳ受信機を用いて、ＧＰＳ衛星からの測位信号が受信できない屋内においても、測位を可能とする技術が開示されている。
【発明の概要】
【発明が解決しようとする課題】
【０００６】
しかしながら、特許文献１の技術では、位置情報を用いて資産の位置を管理できるが、資産が有するデータや設定環境を管理することはできず、上記問題を解決できない。
【０００７】
また、非特許文献１の技術では、屋内における測位を可能とするが、資産が有するデータ等の管理に関する記載はない。
【０００８】
本発明は、上記の点に鑑みてなされたものであって、複数のユーザに使用される共有端末の状態が変更された場合であっても、簡便に共有端末の状態を所定の状態に戻すことを目的とする。
【課題を解決するための手段】
【０００９】
そこで上記課題を解決するため、本発明の管理サーバは、共有端末に取り付けられた無線端末の位置情報を取得する取得手段と、前記共有端末からの当該共有端末のリセット要否の問合わせを受け付ける受付手段と、前記問合わせを受け付けた場合、該問合わせを行った共有端末からの前回の問合わせを受け付けた時から現時点までの間に取得された前記共有端末に取り付けられた無線端末の位置情報と、前記共有端末が保管される位置に対応する所定の位置情報とに基づき、前記共有端末のリセット要否を判定する判定手段と、前記判定の結果に基づき、前記共有端末におけるリセット処理の実行を制御する制御手段とを有する。
【発明の効果】
【００１０】
本発明によれば、複数のユーザに使用される共有端末の状態が変更された場合であっても、簡便に共有端末の状態を所定の状態に戻すことができる。
【図面の簡単な説明】
【００１１】
【図１】本発明の実施形態における資産管理システムのシステム構成の一例を示す図である。
【図２】本発明の実施形態における資産管理システムの動作概要を説明するための図（その１）である。
【図３】本発明の実施形態における資産管理システムの動作概要を説明するための図（その２）である。
【図４】本発明の実施形態における資産管理サーバのハードウェア構成の一例を示す図である。
【図５】本発明の実施形態における共有端末のハードウェア構成の一例を示す図である。
【図６】本発明の実施形態における無線端末のハードウェア構成の一例を示す図である。
【図７】本発明の実施形態における配信装置のハードウェア構成の一例を示す図である。
【図８】本発明の実施形態における管理装置のハードウェア構成の一例を示す図である。
【図９】本発明の実施形態における資産管理システムの機能構成の一例を示す図である。
【図１０】本発明の実施形態における位置情報記憶部の位置情報管理テーブルに記憶される情報の一例を示す図である。
【図１１】本発明の実施形態における資産情報記憶部の資産情報管理テーブルに記憶される情報の一例を示す図である。
【図１２】本発明の実施形態における最終問合わせ状況記憶部の最終問合わせ時刻管理テーブルに記憶される情報の一例を示す図である。
【図１３】本発明の実施形態における位置情報管理処理の動作手順の一例を示すシーケンス図である。
【図１４】本発明の実施形態におけるリセット実行制御処理の動作手順の一例を示すシーケンス図である。
【図１５】本発明の実施形態における共有端末によるリセット実行制御処理の処理手順の一例を示すフローチャート図である。
【図１６】本発明の実施形態における資産管理サーバによるリセット実行制御処理の処理手順の一例を示すフローチャート図である。
【図１７】本発明の実施形態の変形例における資産管理システムのシステム構成の一例を示す図である。
【図１８】本発明の実施形態の変形例における資産管理システムの機能構成の一例を示す図である。
【図１９】本発明の実施形態の変形例における資産管理システムの機能構成の一例を示す図である。
【発明を実施するための形態】
【００１２】
以下、本発明の実施の形態（以下、実施形態という。）を図面に基づいて説明する。
[システム構成]
図１は、本発明の実施形態における資産管理システムのシステム構成の一例を示す図である。
【００１３】
図１に示すように、本発明の実施形態における資産管理システム１は、資産管理サーバ１００と、共有端末２００ａ、２００ｂ、・・・２００ｎ（それぞれを区別しない場合「共有端末２００」という。）と、無線端末３００ａ、３００ｂ、・・・３００ｎ（それぞれを区別しない場合「無線端末３００」という。）と、配信装置４００ａ、４００ｂ、４００ｃ、４００ｄ、・・・４００ｎ（それぞれを区別しない場合「配信装置４００」という。）と、管理装置５００とを有する。なお、共有端末２００には、無線端末３００が取り付けられている（共有端末２００に無線端末３００が内蔵されている場合を含む）。
【００１４】
ここで、無線端末３００と、配信装置４００と、管理装置５００とは、ＺｉｇＢｅｅ（登録商標）や、Ｂｌｕｅｔｏｏｔｈ（登録商標）や、ＷｉＦｉ（登録商標）（無線ＬＡＮ）のような、無線通信規格に従う無線ネットワークＮ１を構成する。また、資産管理サーバ１００と管理装置５００とは、ＬＡＮ（Ｌｏｃａｌ  Ａｒｅａ  Ｎｅｔｗｏｒｋ）又はインターネット等の有線又は無線のネットワークＮ２に接続され、互いに通信が可能である。また、共有端末２００は、例えば無線ＬＡＮである無線ネットワークＮ３によりアクセスポイント６００を介して、ネットワークＮ４と接続する資産管理サーバ１００と互いに通信が可能である。
【００１５】
本発明の実施形態における資産管理システム１は、所定の位置に保管され、企業等で複数のユーザに共有される資産である共有端末２００が、あるユーザへ貸し出し（レンタル）される場合、共有端末２００に取り付けられた無線端末３００の位置情報と保管される位置に対応する所定の位置情報とに基づき、共有端末２００の初期化（リセット）処理を実行するシステムである。なお、本発明の実施形態において、共有端末２００が保管される所定の位置を保管位置という。保管位置は、位置情報に基づき定義され、共有端末２００毎に決定される。また、共有端末２００のリセットとは、共有端末２００が保存するデータ及び設定環境等を共有端末２００のデフォルトの状態に戻すための初期化の処理である。例えば、共有端末２００がリセットされると、ユーザが共有端末２００をレンタルしたとき保存した各種データ（データファイルやプログラムファイル等）が削除され、任意に設定されたパラメータやデスクトップ画面のアイコンの配置等を含む各種設定環境が初期値（初期状態）に戻される。なお、本発明の実施形態において共有端末２００のデフォルトの状態とは、共有端末２００の製品出荷時の状態に限らず、資産管理システム１の管理者等が予め定めた所定の状態であってもよい。
【００１６】
共有端末２００は、企業等において複数のユーザに共有される資産の一例である。本発明の実施形態では、共有端末２００は、無線ＬＡＮ等の通信機能を備え、可搬性があり、ユーザにレンタルされる電子機器である。共有端末２００は、例えば、ラップトップＰＣ、スマートフォン、タブレット端末若しくは携帯電話の携帯端末、プロジェクタ若しくは携帯型プリンタ等の画像処理装置、オシロスコープ若しくはネットワーク・アナライザ等の計測器又はデジタルカメラ等である。なお、共有端末２００には、無線端末３００が取り付けられている。
【００１７】
無線端末３００は、例えばＩＭＥＳ（Ｉｎｄｏｏｒ  ＭＥｓｓａｇｉｎｇ  Ｓｙｓｔｅｍ）のような配信装置４００から配信される屋内向けの測位信号を受信して、位置情報を取得可能なＲＦＩＤ（Ｒａｄｉｏ  Ｆｒｅｑｕｅｎｃｙ  ＩＤｅｎｔｉｆｉｃａｔｉｏｎ）タグである。無線端末３００は、予め資産である共有端末２００に取り付けられている。無線端末３００は、測位信号を受信して取得した位置情報を、無線ネットワークＮ１（すなわち、配信装置４００及び管理装置５００）を介して、資産管理サーバ１００に送信する。ここで、例えば、無線ネットワークＮ１がＺｉｇＢｅｅによって形成される場合、無線端末３００は、ＺｉｇＢｅｅエンドポイントとしての機能（データの中継機能を持たず、末端の端末としてのみ動作する機能）を有する。なお、無線端末３００は、測位信号を受信し、受信した測位信号を資産管理サーバ１００に対して送信する機能を備えれば、ＲＦＩＤタグに限らない。
【００１８】
配信装置４００は、例えばＩＭＥＳのような屋内向けの測位信号を所定の領域（例えば図１の円錐）に配信する装置である。測位信号は、例えば、緯度、経度及びフロア等によって表される位置情報を含む。配信装置４００が送信する位置情報は、その配信装置４００が設置された位置を表す。測位信号が送信される所定の領域は、測位信号を送出する出力によって決定される。上述したように、配信装置４００は、無線端末３００及び管理装置５００とともに、無線ネットワークＮ１を形成し、無線端末３００からの通信を中継する機能を有する。例えば、無線ネットワークＮ１がＺｉｇＢｅｅによって構築される場合には、配信装置４００は、ＺｉｇＢｅｅルータとしての機能（ＺｉｇＢｅｅエンドポイント又は他のＺｉｇＢｅｅルータからのデータ中継機能）を有する。
【００１９】
管理装置５００は、無線ネットワークＮ１を管理し、無線端末３００及び配信装置４００とともに形成する無線ネットワークＮ１と、資産管理サーバ１００の接続されたネットワークＮ２とを相互に接続し、二つのネットワーク間で通信を変換する機能を有する装置である。例えば、無線ネットワークＮ１がＺｉｇＢｅｅによって構築される場合には、管理装置５００は、ＺｉｇＢｅｅコーディネータとしての機能（無線ネットワークの立ち上げと管理機能）を有する。
【００２０】
資産管理サーバ１００は、有線ＬＡＮ又は無線ＬＡＮによる通信機能、各無線端末３００から送信された位置情報を取得し、管理する位置情報管理機能及び共有端末２００の状態を制御する制御機能を有するサーバ装置である。なお、資産管理サーバ１００は、無線端末３００の位置情報を、無線端末３００を一意に識別する識別情報（無線端末識別情報）毎に管理する。
[システム動作概要]
次に、本発明の実施形態における資産管理システム１の動作概要を図２及び図３に基づき説明する。図２、図３は、それぞれ本発明の実施形態における資産管理システム１の動作概要を説明するための図（その１）、（その２）である。なお、図２、図３に示すシステム構成は、図１に示したシステム構成の一部を抜粋したものである。
【００２１】
図２により、資産管理サーバ１００による無線端末３００の位置情報管理処理の動作概要を説明する。
【００２２】
ステップＳ１ａにおいて、配信装置４００ａは、ＩＭＥＳにより位置情報を含む測位信号を、所定の領域に送信し続ける。図１に示すように、測位信号に含まれる位置情報には、配信装置４００ａが設置された位置に対応する、緯度（「３５．４８１００・・・」）、経度（「１３９．３２０００」）、フロア（「２」）が含まれる。
【００２３】
同様に、ステップＳ１ｂにおいて、配信装置４００ｂは、配信装置４００ｂが設置された位置に対応する緯度（「３５．４６１００」）、経度（「１３９．３８０９５」）、フロア（「２」）を示す位置情報を含む測位信号を、所定の領域に送信し続ける。
【００２４】
なお、ステップＳ１ａ、Ｓ１ｂの処理は、以降の処理に依存せず、継続的に行われる。
【００２５】
ステップＳ２において、共有端末２００に取り付けられている無線端末３００は、配信装置４００から送信された測位信号を受信し、受信した測位信号に含まれる位置情報と無線端末３００の無線端末識別情報（例えば「０１２３４５ａｂｃｄｅｆ」）とを、配信装置４００ａ及び管理装置５００を介して、資産管理サーバ１００に送信する。
【００２６】
ステップＳ３、資産管理サーバ１００は、無線端末３００の位置情報と無線端末識別情報とを受信し、これらの受信時刻とともに、位置情報管理テーブルに格納する。位置情報管理テーブルには、無線端末３００（無線端末識別情報）毎の時系列の位置情報が記憶される。
【００２７】
上述した動作手順により、資産管理システム１は、無線端末３００が取り付けられた共有端末２００の位置を管理することができる。すなわち、資産管理システム１により、共有端末２００がレンタルされたか、レンタル後、保管位置に返却されたか等のレンタル状況を管理することができる。
【００２８】
次に、図３により、保管位置に保管されていた共有端末２００がユーザ（ユーザＢ）にレンタルされた後の資産管理サーバ１００による共有端末２００のリセット制御処理の動作概要を説明する。
【００２９】
ステップＳ４において、共有端末２００の電源オン後、無線ネットワークＮ３との接続が検出（確認）される。なお、共有端末２００による無線ネットワークＮ３との接続とは、例えば、ＩＥＥＥ８０２．１１規格に準拠した手順に従い、共有端末２００とアクセスポイント６００とのアソシエーションが確立され、ＥＡＰ（Ｅｘｔｅｎｓｉｂｌｅ  Ａｕｔｈｅｎｔｉｃａｔｉｏｎ  Ｐｒｏｔｏｃｏｌ）による認証が完了した状態である。なお、共有端末２００がイーサネット（登録商標）により接続されている場合の接続とは、リンクアップが完了した状態である。
【００３０】
ステップＳ５において、共有端末２００は、自機（共有端末２００）のリセット処理の要否を、無線ネットワークＮ３及びネットワークＮ４を介して、資産管理サーバ１００に対して問合わせる。
【００３１】
ステップＳ６において、資産管理サーバ１００は、共有端末２００のリセット要否を判定する。具体的には、資産管理サーバ１００は、同じ共有端末２００からの前回リセット要否の問合わせを受付けた時刻から現在時刻（位置情報管理テーブルに記憶されている最新時刻）までの間に、保管位置に対応する位置情報が有るか否かを判定する。すなわち、この判定により、共有端末２００が保管位置に戻されたか否か、すなわち保管位置に対応する所定の位置情報の有無を判定する。この判定において保管位置の位置情報が有った場合とは、あるユーザ（過去のユーザ）にレンタルされた共有端末２００が保管位置に返却され、今回新規のユーザに共有端末２００がレンタルされている場合である。したがって、過去のユーザにより行われた共有端末２０のデータの保存や設定環境の変更をリセットする必要がある「リセット要」と判定する。一方、この判定において保管位置の位置情報が無かった場合とは、レンタルされた共有端末２００が返却されておらず、同じユーザに使用され続けている可能性が高いため、リセットを不要とするリセット否と判定する。
【００３２】
ステップＳ７において、資産管理サーバ１００は、リセット要否の判定結果に基づく共有端末２００のリセット処理を制御するためのリセット処理制御信号を、ネットワークＮ４及び無線ネットワークＮ３を介して、共有端末２００に送信する。なお、判定結果がリセット要の場合、リセット処理制御信号は、リセット処理の実行を要求するリセット処理要求が含まれる。一方、判定結果がリセット否である場合、リセット処理制御信号は、リセット処理の実行が不要であることを示す情報が含まれる。
【００３３】
ステップＳ８において、共有端末２００は、受信したリセット処理制御信号に基づく処理を実行する。具体的には、リセット処理制御信号がリセット処理要求である場合、共有端末２０のリセット処理を実行し、リセット処理の実行が不要であることの通知である場合、共有端末２０のリセット処理は実行しない。
【００３４】
上述した動作手順により、資産管理システム１は、共有端末２００（無線端末３００）の位置情報と共有端末２００が保管される保管位置の位置情報とに基づき、共有端末２００のリセット要否を判定し、判定結果に基づき共有端末２００の動作（リセット処理を実行させるか否か）を制御できる。
[ハードウェア構成]
＜資産管理サーバ＞
図４は、本発明の実施形態における資産管理サーバ１００のハードウェア構成の一例を示す図である。資産管理サーバ１００は、ＣＰＵ１１と、ＲＡＭ１２と、ＲＯＭ１３と、ＨＤＤ１４と、有線通信装置１５と、キーボード１６と、マウス１７と、ディスプレイ１８とを有する。
【００３５】
ＣＰＵ１１は、資産管理サーバ１００の動作を制御するプログラムを実行する。ＲＡＭ１２は、ＣＰＵ１１のワークエリアを構成する。ＲＯＭ１３は、資産管理サーバ１００のシステムプログラム等を記憶する。ＨＤＤ１４は、資産管理サーバ１００で実行されるアプリケーション等に加えて、無線端末３００の位置情報や資産（共有端末２００）に関する情報等を記憶する。有線通信装置１５は、ＬＡＮに接続するためのＮＩＣ（Ｎｅｔｗｏｒｋ  Ｉｎｔｅｒｆａｃｅ  Ｃａｒｄ）である。キーボード１６及びマウス１７は、資産管理システム１の管理者等から入力を受け付ける装置である。ディスプレイ１８は、管理者等に対して情報を表示出力する装置である。バス１９は、上記装置を電気的に接続する。
【００３６】
上記構成により、本発明の実施形態における資産管理サーバ１００は、無線端末３００の位置情報の管理や共有端末２００のリセット要否の判定する処理等を実行できる。
【００３７】
＜共有端末＞
図５は、本発明の実施形態における共有端末２００のハードウェア構成の一例を示す図である。共有端末２００は、ＣＰＵ２１と、ＲＡＭ２２と、ＲＯＭ２３と、ＨＤＤ２４と、無線通信装置２５と、キーボード２６と、マウス２７と、ディスプレイ２８とを有する。また、バス２９は、上記装置を電気的に接続する。
【００３８】
なお、ＣＰＵ２１、ＲＡＭ２２、ＲＯＭ２３、ＨＤＤ２４、キーボード２６、マウス２７、ディスプレイ２８は、それぞれ図４に示したＣＰＵ１１、ＲＡＭ１２、ＲＯＭ１３、ＨＤＤ１４、キーボード１６、マウス１７、ディスプレイ１８に対応する。但し、ＲＯＭ２３が共有端末２００のシステムプログラムを記憶する点が異なる。
【００３９】
無線通信装置２５は、無線ＬＡＮに接続するための無線ＬＡＮカードである。なお、共有端末２００が有線ＬＡＮ接続する場合、有線通信装置を備える構成となる。
【００４０】
上記構成により、本発明の実施形態における共有端末２００は、資産管理サーバ１００と通信を行い、自機のリセット要否を問合わせることができる。
【００４１】
＜無線端末＞
図６は、本発明の実施形態における無線端末３００のハードウェア構成の一例を示す図である。図６には、無線端末３００がＲＦＩＤタグである例を示している。無線端末３００は、ＣＰＵ３１と、ＲＡＭ３２と、ＲＯＭ３３と、無線通信装置３４とを有する。
【００４２】
ＣＰＵ３１は、無線端末３００の動作を制御するプログラムを実行する。ＲＡＭ３２は、ＣＰＵ３１のワークエリアを構成する。ＲＯＭ３３は、無線端末３００のシステムプログラム等を記憶する。無線通信装置３４は、例えば、ＺｉｇＢｅｅ又はＢｌｕｅｔｏｏｔｈにより、外部の装置と通信するための装置である。なお、任意の種類の無線通信装置３４が、複数設けられてもよい。また、無線端末３００がスマートフォン等の携帯端末に内蔵されている場合等、無線通信装置３４は、３ＧやＬＴＥ（Ｌｏｎｇ  Ｔｅｒｍ  Ｅｖｏｌｕｔｉｏｎ）等の移動通信網又はＷｉＦｉ等による通信を行う装置であってもよい。バス３５は、上記装置を電気的に接続する。
【００４３】
上記構成により、本発明の実施形態における無線端末３００は、屋内において測位信号を受信し、位置情報を取得することができる。また、無線端末３００は、取得した位置情報を、無線ネットワークＮ１を介して、資産管理サーバ１００に送信することができる。
【００４４】
＜配信装置＞
図７は、本発明の実施形態における配信装置４００のハードウェア構成の一例を示す図である。配信装置４００は、ＣＰＵ４１と、ＲＡＭ４２と、ＲＯＭ４３と、無線通信装置４４と、測位信号配信装置４５とを有する。
【００４５】
ＣＰＵ４１は、配信装置４００の動作を制御するプログラムを実行する。ＲＡＭ４２は、ＣＰＵ４１のワークエリア等を構成する。ＲＯＭ４３は、ＣＰＵ４１が実行するプログラムや、プログラムの実行に必要なデータを記憶する。無線通信装置４４は、無線端末３００及び管理装置５００と、無線ネットワークＮ１を介して通信するための装置である。測位信号配信装置４５は、無線端末３００が現在位置を取得するために用いる測位信号を送信する装置であり、例えば、ＩＭＥＳ規格により定義されたフレームフォーマットで測位信号を送信する。より具体的には、測位信号配信装置４５は、ＩＭＥＳ規格によって定義されるフレーム構造を有するデータを用いて、１．５ＧＨｚの搬送波を変調して信号を生成し、これをアンテナより送出する。バス４６は、上記装置を電気的に接続する。
【００４６】
上記構成により、本発明の実施形態における配信装置４００は、所定の領域（無線端末３００）に測位信号を配信することができる。また、配信装置４００は、無線端末３００と管理装置５００とにより無線ネットワークＮ１を構成し、無線端末３００から送信された位置情報を、他の配信装置４００又は管理装置５００に中継することができる。
【００４７】
＜管理装置＞
図８は、本発明の実施形態における管理装置５００のハードウェア構成の一例を示す図である。管理装置５００は、ＣＰＵ５１と、ＲＡＭ５２と、ＲＯＭ５３と、無線通信装置５４と、有線通信装置５５とを有する。
【００４８】
ＣＰＵ５１は、管理装置５００の動作制御を行う。プログラムを実行する。ＲＡＭ５２は、ＣＰＵ５１のワークエリア等を構成する。ＲＯＭ５３は、ＣＰＵ５１が実行するプログラムや、プログラムの実行に必要なデータを記憶する。無線通信装置５４は、無線端末３００及び配信装置４００と、無線ネットワークＮ１を介して通信するための装置である。有線通信装置５５は、ＬＡＮに接続するためのＮＩＣである。バス５６は、上記装置を電気的に接続する。
【００４９】
上記構成により、本発明の実施形態における管理装置５００は、無線端末３００と配信装置４００とにより構成される無線ネットワークＮ１と、外部のネットワークＮ２とを相互に接続することができる。
[機能構成]
図９は、本発明の実施形態における資産管理システム１の機能構成の一例を示す図である。
【００５０】
＜配信装置＞
本発明の実施形態における配信装置４００は、位置情報格納部４０１と、測位信号配信部４０２と、中継部４０３とを有する。各機能はＣＰＵ４１がプログラムを実行し、ハードウェアと協働することで実現される。
【００５１】
位置情報格納部４０１は、配信装置４００が設置される位置を表す位置情報を格納する。屋内に設置される配信装置４００の位置情報には、例えば、緯度、経度、フロア等の情報が含まれる。なお、位置情報は、上記に限らず、例えば建物の棟を示す情報等が含まれてもよい。
【００５２】
測位信号配信部４０２は、位置情報格納部４０１に格納された位置情報を含む測位信号を生成して、所定の領域に配信する。所定の領域は、測位信号配信装置４５からの電波の送信出力によって決定される。
【００５３】
中継部４０３は、無線端末３００から送信されたデータを、他の配信装置４００又は管理装置５００に中継する。中継されたデータは、その後、資産管理サーバ１００へと伝送される。中継部４０３は、無線ネットワークＮ１がＺｉｇＢｅｅによって構成される場合には、ＺｉｇＢｅｅルータの機能を提供する。
【００５４】
＜無線端末＞
本発明の実施形態における無線端末３００は、測位信号受信部３０１と、位置情報取得部３０２と、無線端末識別情報格納部３０３と、位置情報送信部３０４とを有する。各機能はＣＰＵ３１がプログラムを実行し、ハードウェアと協働することで実現される。
【００５５】
測位信号受信部３０１は、配信装置４００の測位信号配信部４０２から配信された測位信号を受信する。
【００５６】
位置情報取得部３０２は、配信装置４００から送信された測位信号から、位置情報を取得する。上述したように、位置情報は、緯度、経度、フロア等の情報を含む。
【００５７】
無線端末識別情報格納部３０３は、当該無線端末３００を一意に識別するための無線端末識別情報を格納する。無線端末識別情報は、例えばＭＡＣアドレスである。
【００５８】
位置情報送信部３０４は、位置情報取得部３０２が取得した位置情報と、無線端末識別情報格納部３０３に格納された無線端末識別情報とを、資産管理サーバ１００に送信する。ここで、無線端末３００の位置情報及び無線端末識別情報は、まず無線ネットワークＮ１を介して、最寄りの配信装置４００に送信され、その後、他の配信装置４００又は管理装置５００を経由して、資産管理サーバ１００に伝送される。
【００５９】
＜管理装置＞
本発明の実施形態における管理装置５００は、変換部５０１を有する。上記機能はＣＰＵ５１がプログラムを実行し、ハードウェアと協働することで実現される。なお、管理装置５００は、無線ネットワークＮ１がＺｉｇＢｅｅによって構成される場合には、ＺｉｇＢｅｅコーディネータとしての機能を提供する。
【００６０】
変換部５０１は、無線ネットワークＮ１を介して、無線端末３００又は配信装置４００から受信した位置情報及び無線端末識別情報を、資産管理サーバ１００の接続されたネットワークに適合する形式に変換する。そして、変換部５０１は、位置情報及び無線端末識別情報を、資産管理サーバ１００へと送信する。
【００６１】
＜資産管理サーバ＞
本発明の実施形態における資産管理サーバ１００は、位置情報受信部１０１と、位置情報記憶部１０２と、資産情報記憶部１０３と、最終問合わせ状況記憶部１０４と、リセット要否問合わせ受付部１０５と、リセット要否判定部１０６と、リセット処理制御部１０７とを有する。各機能はＣＰＵ１１がプログラムを実行し、ハードウェアと協働することで実現される。
【００６２】
位置情報受信部１０１は、無線端末３００から送信された、無線端末識別情報及び位置情報を受信する。そして、位置情報受信部１０１は、無線端末識別情報及び位置情報を、位置情報記憶部１０２に格納する。
【００６３】
位置情報記憶部１０２は、無線端末３００の無線端末識別情報毎に、無線端末３００から送信される位置情報とこれらの情報の受信時刻とを対応付けて位置情報管理テーブルに記憶する。図１０は、本発明の実施形態における位置情報記憶部１０２の位置情報管理テーブルに記憶される情報の一例を示す図である。図１０に示すように、位置情報管理テーブルは、無線端末３００の無線端末識別情報である「無線端末識別情報」、「受信時刻」、「緯度」、「経度」及び「フロア」のデータ項目を有する。「緯度」、「経度」及び「フロア」は、無線端末３００から送信される位置情報に含まれる情報である。「受信時刻」は、無線端末３００からの位置情報を受信した年月日時分秒を示す時刻である。位置情報記憶部１０２において、位置情報の管理対象となっている無線端末３００の数のテーブルが用意され得る。
【００６４】
資産情報記憶部１０３は、図１１に示すように、資産である共有端末２００と無線端末３００との対応関係及び共有端末２００の保管位置に関する情報を、資産情報管理テーブルに記憶する。図１１は、本発明の実施形態における資産情報記憶部１０３の資産情報管理テーブルに記憶される情報の一例を示す図である。資産情報管理テーブルは、「資産ＩＤ」、「資産名称」、「無線端末識別情報」並びに「保管位置情報」に含まれる「保管位置名称」、「緯度」、「経度」及び「フロア」等のデータ項目を有する。「資産ＩＤ」は、資産である共有端末２００を一意に識別するための識別情報である。「資産名称」は、資産の名称である。「無線端末識別情報」は、資産ＩＤに対応する共有端末２００に取り付けられた無線端末３００の無線端末識別情報である。「保管位置名称」は、共有端末２００が保管される位置である保管位置を示す名称である。「緯度」、「経度」及び「フロア」は、保管位置に対応する位置情報である。資産情報記憶部１０３に記憶される情報は、予め資産管理システム１の管理者等により設定され、資産ＩＤと無線端末識別情報との対応や保管位置が変わった場合、変更、追加又は削除が行われる。
【００６５】
最終問合わせ状況記憶部１０４は、図１２に示すように、共有端末２００毎に、共有端末２００から行われるリセット要否の問合わせを受付けた最終の時刻を、最終問合わせ時刻管理テーブルに記憶する。図１２は、本発明の実施形態における最終問合わせ状況記憶部１０４の最終問合わせ時刻管理テーブルに記憶される情報の一例を示す図である。図１２に示すように、最終問合わせ時刻管理テーブルには、共有端末２０を識別する「資産ＩＤ」と、リセット要否の問合わせを受付けた時刻である「最終問合わせ時刻」とが対応付けられ記憶されている。なお、「最終問合わせ時刻」は、リセット要否判定部１０６による判定処理後、リセット要否判定部１０６により更新される。
【００６６】
リセット要否問合わせ受付部１０５は、共有端末２００からの資産ＩＤを含むリセット要否問合わせを受け付けると、リセット要否判定部１０６に対してリセット要否問合わせに基づく処理の実行を要求する。
【００６７】
リセット要否判定部１０６は、リセット要否問合わせ受付部１０５の要求に応じて、リセット要否問合わせに含まれる資産ＩＤに対応する共有端末２００のリセット処理が必要であるか否かのリセット要否を判定する。なお、資産管理サーバ１００によるリセット要否判定の詳細な処理手順は、図１６により後述する。そして、リセット要否判定部１０６は、判定結果をリセット処理制御部１０７に出力する。
【００６８】
リセット処理制御部１０７は、リセット要否判定部１０６によるリセット要否判定の判定結果に基づき、共有端末２００のリセット処理の実行を制御する。具体的には、判定結果がリセット要の場合、リセット処理制御部１０７は、リセット処理の実行を要求するリセット処理要求を、共有端末２００に送信する。一方、判定結果がリセット否である場合、リセット処理制御部１０７は、リセット処理の実行が不要であることを示す通知を、共有端末２００に送信する。なお、リセット処理制御部１０７は、判定結果がリセット否である場合、例えば共有端末２０に通知を行わないような動作にしてもよい。
【００６９】
＜共有端末＞
本発明の実施形態における共有端末２００は、ネットワーク接続状態管理部２０１と、リセット要否問合わせ部２０２と、資産ＩＤ格納部２０３と、リセット処理実行部２０４とを有する。各機能はＣＰＵ２１がプログラムを実行し、ハードウェアと協働することで実現される。
【００７０】
ネットワーク接続状態管理部２０１は、共有端末２００の電源オン（起動）後又は起動中でのユーザによる無線ネットワークＮ３との接続を有効化するための所定の操作後、無線ネットワークＮ３との接続状態を確認する。ネットワーク接続状態管理部２０１は、上述したように、例えばアクセスポイント６００とのアソシエーションが確立され、認証が完了した時点で、無線ネットワークＮ３と接続されたと判断する。そして、ネットワーク接続状態管理部２０１は、共有端末２００が無線ネットワークＮ３と接続したと判断した場合、リセット要否問合わせ部２０２に、ネットワーク接続されたことを通知する。
【００７１】
リセット要否問合わせ部２０２は、資産ＩＤ格納部２０３を参照し、当該共有端末２００の資産ＩＤを読み出し、その資産ＩＤを含む当該共有端末２００のリセット処理の実行要否を問い合わせるためのリセット要否問合わせを、資産管理サーバ１００に送信する。
【００７２】
資産ＩＤ格納部２０３は、共有端末２００毎に一意に割り当てられる資産ＩＤを記憶する。
【００７３】
リセット処理実行部２０４は、資産管理サーバ１００から送信されるリセット処理制御信号に基づく処理を実行する。具体的には、リセット処理制御信号がリセット処理要求である場合、リセット処理実行部２０４は、共有端末２０のリセット処理を実行する。一方、リセット制御信号がリセット処理の実行を不要とする通知である場合、リセット処理実行部２０４は、共有端末２０のリセット処理を実行しない。
[動作手順]
次に、本発明の実施形態における資産管理システム１の動作手順の一例を説明する。なお、資産管理システム１の処理を、「位置情報管理処理」と「リセット実行制御処理」とに分けて説明する。
【００７４】
〔位置情報管理処理〕
図１３は、本発明の実施形態における位置情報管理処理の動作手順の一例を示すシーケンス図である。図１３を用いて、資産管理サーバ１００が、無線ネットワークＮ１を介して、無線端末３００の位置情報を取得する処理を説明する。ここで、無線端末３００が配信装置４００から以下の位置情報を含む測位信号を受信する例を説明する。
−緯度「３５．４６１００」、経度「１３９．３８０９５」、フロア「２」
ステップＳ１０１において、配信装置４００の測位信号配信部４０２は、上記位置情報を含む測位信号を、所定の領域に送信し続ける。
【００７５】
ステップＳ１０２において、無線端末３００の測位信号受信部３０１は、配信装置４００の測位信号配信部４０２から送信された測位信号を受信する。
【００７６】
ステップＳ１０３において、無線端末３００の位置情報取得部３０２は、ステップＳ１０２で受信した測位信号に含まれる位置情報を取得する。この場合、無線端末３００が受信した位置情報は、以下の通りとなる。
−緯度「３５．４６１００」、経度「１３９．３８０９５」、フロア「２」
ステップＳ１０４において、無線端末３００の位置情報送信部３０４は、無線端末識別情報格納部３０３に格納された無線端末識別情報とともに、上記位置情報を、無線ネットワークＮ１を介して、配信装置４００に送信する。ここで、無線端末３００の無線端末識別情報は、以下の通りであるものとする。
−「０１２３４５ａｂｃｄｅｆ」
なお、ステップＳ１０４における位置情報の送信動作は、所定の周期（例えば１秒〜５秒周期）で行われる。また、無線端末３００が慣性センサを備えている場合、無線端末３００の動作の検知時に、位置情報の送信動作を実行するようにしてもよい。
【００７７】
ステップＳ１０５において、配信装置４００の中継部４０３は、無線端末３００から受信した位置情報と無線端末識別情報とを、管理装置５００に中継する。
【００７８】
ステップＳ１０６において、管理装置５００の変換部５０１は、配信装置４００の属する無線ネットワークＮ１から送信された通信データを、資産管理サーバ１００が接続されるネットワークに適合する形式に変換する。
【００７９】
ステップＳ１０７において、資産管理サーバ１００の位置情報受信部１０１は、配信装置４００と管理装置５００とを介して伝送された、以下の無線端末３００の位置情報と無線端末識別情報とを受信する。
−位置情報：緯度「３５．４６１００」、経度「１３９．３８０９５」、フロア「２」
−無線端末識別情報：「０１２３４５ａｂｃｄｅｆ」
ステップＳ１０８において、資産管理サーバ１００の位置情報記憶部１０２は、ステップＳ１０７で受信した位置情報と無線端末識別情報とを、その受信時刻「２０１３／６／１３  １０：００：０５」とともに格納する。
【００８０】
上記動作手順により、本発明の実施形態における資産管理サーバ１００は、無線端末３００の現在位置を管理することができる。
【００８１】
なお、位置情報管理処理は、後述するリセット実行制御処理に依存せず、独立して実行される処理である。
【００８２】
〔リセット実行制御処理〕
図１４は、本発明の実施形態におけるリセット実行制御処理の動作手順の一例を示すシーケンス図である。図１４の例では、共有端末２００に無線端末３００が取り付けられている。また、図１４の初期状態では、共有端末２００は、無線ネットワークＮ３との接続がされていない状態、すなわち共有端末２００の電源がオフの状態である。
【００８３】
ステップＳ２０１において、ユーザは共有端末２００の電源をオンにし、共有端末２００を起動させる。これにより、共有端末２００は、無線ネットワークＮ３との接続手順を自動的に開始する。なお、ステップＳ２０１において、起動中の共有端末２００において無線ネットワークＮ３と未接続又は接続手順が未実施である状態で、ユーザが所定の操作を行い無線ネットワークＮ３との接続手順を手動で開始する場合も同様である。
【００８４】
ステップＳ２０２において、共有端末２００のネットワーク接続状態管理部２０１は、無線ネットワークＮ３との接続状態を監視する。ここで、以降の処理は、ネットワーク接続状態管理部２０１が、無線ネットワークＮ３との接続を確認した場合の動作である。ネットワーク接続状態管理部２０１は、無線ネットワークＮ３との接続の確認後、リセット要否問合わせ部２０２に無線ネットワークＮ３との接続が完了したことを通知する。
【００８５】
ステップＳ２０３において、リセット要否問合わせ部２０２は、資産ＩＤ格納部２０３に格納されている当該共有端末２００の資産ＩＤを読み出し、資産ＩＤを含むリセット要否問合わせを、資産管理サーバ１００に送信する。
【００８６】
ステップＳ２０４において、資産管理サーバ１００のリセット要否問合わせ受付部１０５が、リセット要否問合わせを受け付けると、リセット要否判定部１０６にリセット要否判定処理の実行を要求する。そして、リセット要否判定部１０６は、前回リセット要否の問合わせを受付けた時刻から現在時刻までの間に、保管位置に対応する位置情報が存在するか否かを判定する。リセット要否判定処理を実行する。そして、リセット要否判定部１０６は、保管位置の位置情報が有った場合、共有端末２００のリセット処理が必要であるとして、リセット要と判定する。一方、保管位置かの位置情報が無かった場合、リセット要否判定部１０６は、共有端末２００のリセット処理が必要ないとして、リセット否と判定する。
【００８７】
ステップＳ２０５ａは、リセット要否判定部１０６によるリセット要否判定の判定結果が、「リセット要」である場合の処理である。ステップＳ２０５ａにおいて、リセット処理制御部１０７は、リセット要否判定部１０６による判定結果が「リセット要」であるため、リセット処理要求を生成し、共有端末２００に送信する。
【００８８】
ステップＳ２０６において、共有端末２００のリセット処理実行部２０４がリセット処理要求を受信すると、共有端末２００のリセット処理を実行する。
【００８９】
一方、ステップＳ２０４におけるリセット要否判定部１０６によるリセット要否判定の判定結果が、「リセット否」である場合、ステップＳ２０５ｂにおいて、リセット処理制御部１０７は、リセット処理の実行を不要とするリセット処理不要通知を生成し、共有端末２００に送信する。
【００９０】
上記動作手順により、本発明の実施形態における資産管理サーバ１００は、共有端末２００（無線端末３００）の位置情報から、レンタルされた共有端末２００の保管位置への返却の有無に基づき、共有端末２００にリセット処理を実行させるか否かを制御できる。
【００９１】
次に、リセット実行制御処理における共有端末２００及び資産管理サーバ１００のそれぞれの処理手順を、図１５、図１６に基づき説明する。
【００９２】
＜共有端末＞
図１５は、本発明の実施形態における共有端末２００によるリセット実行制御処理の処理手順の一例を示すフローチャート図である。なお、図１５に示すステップＳ３０１の処理は、図１４に示したステップＳ２０１の処理に相当する。
【００９３】
ステップＳ３０１において、ユーザにより電源オフであった共有端末２００の電源がオンとされるか又は起動中の共有端末２００が手動によりネットワーク（無線ネットワークＮ３）接続手順が開始される。
【００９４】
ステップＳ３０２において、ネットワーク接続状態管理部２０１はネットワークとの接続状態を監視し、所定の時間内（タイムアウト満了前）にネットワークとの接続が完了したか否かを判断する。
【００９５】
ここで、ネットワークとの接続が完了していない場合（ステップＳ３０２においてＮＯ）、ステップＳ３０３において、ネットワークとの接続手順の実施を指示するメッセージを例えばディスプレイ２９に表示出力し、ユーザに通知する。次に、ステップＳ３０４において、ネットワークとの接続手順を開始するための設定画面を表示する。その後、ステップＳ３０１の処理が実行される。
【００９６】
一方、ステップＳ３０２において、ネットワークとの接続完了が確認された場合（ステップＳ３０２においてＹＥＳ）、ステップＳ３０５において、リセット要否問合わせ部２０２は、まず資産ＩＤ格納部２０３に格納されている資産ＩＤを読み出す。次に、リセット要否問合わせ部２０２は、資産ＩＤを含むリセット要否問合わせを、資産管理サーバ１００に送信する。
【００９７】
その後、ステップＳ３０６において、資産管理サーバ１００からの問合わせに対する応答であるリセット処理制御信号を受信したか否かが判定される。
【００９８】
ここで、資産管理サーバ１００からの問合わせに対する応答を受信していない場合（ステップＳ３０６においてＮＯ）、ステップＳ３０７において、資産管理サーバ１００からの応答が無いこと（例えば応答タイムアウト等）を示すメッセージを、例えばディスプレイ２９に表示出力し、ユーザに通知する。この場合、共有端末２００のリセット処理の要否は資産管理サーバ１００において判定されず、共有端末２００の処理は終了する。なお、この場合、例えばユーザによる手動によるリセット処理の実行を指示するメッセージをユーザに通知する等してもよい。
【００９９】
一方、ステップＳ３０６において、資産管理サーバ１００からの問合わせに対する応答を受信した場合（ステップＳ３０６においてＹＥＳ）、ステップＳ３０８において、リセット処理実行部２０４は、応答がリセット処理要求であるか否かを判定する。
【０１００】
ここで、応答がリセット処理要求ではない場合（ステップＳ３０８においてＮＯ）、すなわち応答がリセット処理の実行を不要とする通知である場合、共有端末２００においてリセット処理は実行されずに処理は終了する。
【０１０１】
一方、ステップＳ３０８において、応答がリセット処理要求である場合（ステップＳ３０８においてＹＥＳ）、リセット処理実行部２０４は、共有端末２００のリセット処理を実行する。
【０１０２】
上記処理手順により、共有端末２００は、ネットワークとの接続を契機に、当該共有端末２００のリセット処理要否を、資産管理サーバ１００に問合わせ、その問合わせの応答（リセット処理要求か否か）に基づき、リセット処理を実行できる。
【０１０３】
＜資産管理サーバ＞
図１６は、本発明の実施形態における資産管理サーバ１００によるリセット実行制御処理の処理手順の一例を示すフローチャート図である。なお、図１６に示すステップＳ４０１の処理は、図１４に示したステップＳ２０３の処理に相当する。
【０１０４】
ステップＳ４０１において、資産管理サーバ１００のリセット要否問合わせ受付部１０５は、共有端末２００から送信された資産ＩＤを含むリセット要否問合わせを受け付ける。ここで、リセット要否問合わせに含まれる資産ＩＤは、例えば「ｉｄ０００１」であるものとする。リセット要否問合わせ受付部１０５は、リセット要否問合わせを受付けに基づく処理の実行を、リセット要否判定部１０６に要求する。
【０１０５】
ステップＳ４０２において、リセット要否判定部１０６は、最終問合わせ状況記憶部１０４の最終問合わせ時刻管理テーブルを参照し、リセット要否問合わせに含まれる資産ＩＤに対応する最終問合わせ時刻、すなわち前回行われたリセット要否問合わせの時刻を特定する。ここで、最終問合わせ時刻管理テーブルに、例えば図１２に示した値が記憶されているとすると、資産ＩＤ「ｉｄ０００１」に対応する最終問合わせ時刻は「２０１３/６/１３  １０:００:０５」となる。
【０１０６】
ステップＳ４０３において、リセット要否判定部１０６は、資産情報記憶部１０３の資産情報管理テーブルを参照し、リセット要否問合わせに含まれる資産ＩＤに対応する無線端末識別情報と保管位置情報とを読み出す。ここで、資産情報管理テーブルに、例えば図１１に示した値が記憶されているとすると、資産ＩＤ「ｉｄ０００１」に対応する無線端末識別情報は「０１２３４５ａｂｃｄｅｆ」となり、保管位置情報は緯度「３５．４８１００」、経度「１３９．３２０００」、フロア「２」となる。
【０１０７】
ステップＳ４０４において、リセット要否判定部１０６は、まず読み出した無線端末識別情報（「０１２３４５ａｂｃｄｅｆ」）に対応する、位置情報記憶部１０２の位置情報管理テーブルを参照する。そして、リセット要否判定部１０６は、参照している位置情報管理テーブルにおいて、特定した最終問合わせ時刻「２０１３/６/１３  １０:００:０５」の直後の「行」のデータを検索する。具体的には、位置情報管理テーブルに、例えば図１０に示した値が記憶されているとすると、最終問合わせ時刻「２０１３/６/１３  １０:００:０５」の直後の「行」のデータである受信時刻「２０１３/６/１３  １０:００:１０」に対応するデータが検索される。
【０１０８】
ステップＳ４０５において、検索した「行」の位置情報が、読み出した保管位置情報（緯度「３５．４８１００」、経度「１３９．３２０００」、フロア「２」）と一致するか否かを判定する。具体例を示すと、検索した「行」の位置情報は、図１０の例では、受信時刻「２０１３/６/１３  １０:００:１０」に対応する、緯度「３５．４８１０５」、経度「１３９．３２０１０」、フロア「２」である。
【０１０９】
ここで、上記具体例のように、検索した「行」の位置情報が、読み出した保管位置情報と一致しない場合（ステップＳ４０５においてＮＯ）、ステップＳ４０６において、検索した「行」の位置情報が位置情報管理テーブルにおいて最新の受信時刻に対応するものであるか否かが判定される。
【０１１０】
ここで、検索した「行」の位置情報が位置情報管理テーブルにおいて最新の受信時刻に対応するものであると判定された場合（ステップＳ４０６においてＹＥＳ）、すなわちレンタルされた共有端末２００が保管位置に返却されていない場合、リセット要否判定部１０６がリセット否と判定し、ステップＳ４０７において、リセット処理制御部１０７は、リセット処理不要通知を、共有端末２００に送信する。
【０１１１】
一方、ステップＳ４０６において、図１０の例のように、受信時刻「２０１３/６/１３  １０:００:１０」に対応する位置情報が、位置情報管理テーブルにおいて最新の受信時刻ではない場合（ステップＳ４０６においてＮＯ）、ステップＳ４０８において、リセット要否判定部１０６は、位置情報管理テーブルにおいて、ステップＳ４０５の判定対象の検索した「行」の位置情報の次の受信時刻に対応する「行」を検索し、再度ステップＳ４０５の処理が実行される。
【０１１２】
ここで、具体例を挙げると、ステップＳ４０５〜Ｓ４０８の処理が複数回繰り返された後、ステップＳ４０８において、図１０の例の受信時刻「２０１３/６/１３  １１:００:０３」の「行」が検索されたとする。この場合、ステップＳ４０５の処理において、検索された「行」の位置情報が緯度「３５．４８１００」、経度「１３９．３２０００」、フロア「２」であるため、ステップＳ４０３で読み出した保管位置情報と一致する（ステップＳ４０５においてＹＥＳ）。すなわち、過去にレンタルされた共有端末２００が保管位置に返却され、今回新規のユーザが共有端末２００を使用するため、リセット要否判定部１０６がリセット要と判定し、ステップＳ４０９において、リセット処理制御部１０７は、リセット処理要求を、共有端末２００に送信する。
[まとめ]
上述したように、本発明の実施形態の資産管理システム１によれば、資産管理サーバ１００が無線端末３００の位置情報を管理することで、無線端末３００が取り付けられた共有端末２００の位置情報を管理することができる。そして、資産管理サーバ１００が管理する、共有端末２００の時系列の位置情報と、共有端末２００が保管される所定の位置（保管位置）の位置情報とに基づき、共有端末２００の貸出し状況、すなわち貸し出された共有端末２００が保管位置に返却されたか否かを判定できる。これにより、資産管理サーバ１００は、共有端末２００の使用時に、当該共有端末２００のリセット処理の要否を判定し、共有端末２００にリセット処理を実行させるか否かを制御できる。
【０１１３】
したがって、資産管理システム１の利用により、共有端末２００を使用するユーザは、前回（過去）共有端末２００を使用したユーザが保存したデータを削除したり、変更した設定環境を元に戻したりするといった手動での作業負担を取り除くことができる。
【０１１４】
同様に、資産管理システム１の管理者にとっても、貸し出された共有端末２００の返却時に、ユーザにより保存されたデータの削除や設定環境の復元等の手間を省くことができる。
【０１１５】
また、過去に共有端末２００を使用したユーザが保存したデータが自動で削除されるため、データの情報漏洩を回避できる。
[変形例]
本発明の実施形態の変形例における資産管理システム１は、図１７に示すように、図１に示した資産管理システム１から、位置情報管理サーバ１００ａをさらに備える。変形例の資産管理システム１において、位置情報管理サーバ１００ａが上述した位置情報管理処理に関する機能を有し、資産管理サーバ１００が上述したリセット実行制御処理に関する機能を有する構成となる。
【０１１６】
図１７は、本発明の実施形態の変形例における資産管理システム１のシステム構成の一例を示す図である。図１７に示すように、位置情報管理サーバ１００ａは、ネットワークＮ２を介して管理装置５００と接続する。また、位置情報管理サーバ１００ａは、資産管理サーバ１００と直接ＬＡＮ又はインターネット等により接続する。
【０１１７】
なお、位置情報管理サーバ１００ａのハードウェア構成は、図４に示した資産管理サーバ１００のハードウェア構成と同じであればよい。
【０１１８】
次に、変形例における資産管理システム１の機能構成を説明する。図１８は、本発明の実施形態の変形例における資産管理システム１の機能構成の一例を示す図である。なお、図１８において、図９に示した本発明の実施形態の資産管理システム１と同一の機能には同一の符号を付与しており、これらの詳細な説明は省略する。以下、変形例の説明において、本発明の実施形態の場合（図９参照）との相違点を中心に説明する。
【０１１９】
図１８に示すように、変形例における資産管理サーバ１００は、図９に示した位置情報受信部１０１及び位置情報記憶部１０２が不要となる。また、変形例におけるリセット要否判定部１０６は、無線端末３００の位置情報管理テーブルを参照する場合、位置情報管理サーバ１００ａに対して、位置情報検索要求を送信する。そして、位置情報検索要求に対する応答として、資産管理サーバ１００は、位置情報の検索結果を取得する。
【０１２０】
位置情報管理サーバ１００ａは、位置情報受信部１０１ａ及び位置情報記憶部１０２ａを有する。なお、位置情報受信部１０１ａ、位置情報記憶部１０２ａの機能は、図９に示した位置情報受信部１０１、位置情報記憶部１０２の各機能と同じである。
【０１２１】
次に、変形例における資産管理サーバ１００によるリセット実行制御処理の処理手順について説明する。図１９は、本発明の実施形態の変形例における資産管理サーバ１００によるリセット実行制御処理の処理手順の一例を示すフローチャート図である。なお、図１９において、図１６に示した本発明の実施形態の資産管理サーバ１００による処理手順と同一の処理には同一のステップ番号を付与しており、これらの詳細な説明は省略し、本発明の実施形態における処理（図１６参照）との相違点を中心に説明する。
【０１２２】
図１９に示すように、ステップＳ４０３の処理後、ステップＳ４０４ａにおいて、リセット要否判定部１０６は、位置情報管理サーバ１００ａに対して、ステップＳ４０３で読み出した無線端末識別情報及びステップＳ４０２で特定した最終問合わせ時刻を含む、最終問合わせ時刻の直後の位置情報の検索を要求する位置情報検索要求を送信する。
【０１２３】
そして、ステップＳ４０４ｂにおいて、リセット要否判定部１０６は、位置情報管理サーバ１００ａからの位置情報検索要求に対する応答として位置情報の検索結果（位置情報管理テーブルの「行」）を受信する。
【０１２４】
また、ステップＳ４０８ａにおいて、リセット要否判定部１０６は、位置情報管理サーバ１００ａに対して、ステップＳ４０５の判定対象であった検索した「行」の次の時刻の「行」の位置情報を検索する位置情報検索要求を送信する。
【０１２５】
上記以外の処理は、図１６に示した処理と同じである。
【０１２６】
上述したように、本発明の実施形態の変形例の資産管理システム１における位置情報管理サーバ１００ａは、無線端末３００の位置情報を管理する処理のみを行い、資産管理サーバ１００からの位置情報検索要求に応じて位置情報を提供する。一方、資産管理サーバ１００は、リセット実行制御処理に関する処理のみを行い、資産管理サーバ１００が判定処理を実行する場合、位置情報管理サーバ１００ａから位置情報を取得する。
【０１２７】
これにより、位置情報管理サーバ１００ａを例えば位置情報を管理する屋内施設、建物毎に設置し、資産管理サーバ１００をある拠点等に集約して設置するような構成とすることができる。したがって、より多くの台数が設置される位置情報管理サーバ１００ａに、リセット実行制御処理に関する処理を行う機能を実装する必要が無くなり、各装置への機能の実装の容易性を高め、かつ実装に伴うコストを削減できる。
【０１２８】
以上、本発明の実施形態について詳述したが、本発明はかかる特定の実施の形態に限定されるものではなく、特許請求の範囲に記載された本発明の要旨の範囲内において、種々の変形、変更が可能である。
【符号の説明】
【０１２９】
１                資産管理システム
１００            資産管理サーバ
１００ａ          位置情報管理サーバ
１０１、１０１ａ  位置情報受信部
１０２、１０２ａ  位置情報記憶部
１０３            資産情報記憶部
１０４            最終問合わせ状況記憶部
１０５            リセット要否問合わせ受付部
１０６            リセット要否判定部
１０７            リセット処理制御部
２００            共有端末
２０１            ネットワーク接続状態管理部
２０２            リセット要否問合わせ部
２０３            資産ＩＤ格納部
２０４            リセット処理実行部
３００            無線端末
３０１            測位信号受信部
３０２            位置情報取得部
３０３            無線端末識別情報格納部
３０４            位置情報送信部
４００            配信装置
４０１            位置情報格納部
４０２            測位信号配信部
４０３            中継部
５００            管理装置
５０１            変換部
【先行技術文献】
【特許文献】
【０１３０】
【特許文献１】特開２００５−２９５４０６号公報
【非特許文献】
【０１３１】
【非特許文献１】"準天頂衛星システムユーザインタフェース仕様書"、ＩＳ−ＱＺＳＳ１．４版、宇宙航空研究開発機構
【図１】
2015045975.tif 000003
【図２】
2015045975.tif 000004
【図３】
2015045975.tif 000005
【図４】
2015045975.tif 000006
【図５】
2015045975.tif 000007
【図６】
2015045975.tif 000008
【図７】
2015045975.tif 000009
【図８】
2015045975.tif 000010
【図９】
2015045975.tif 000011
【図１０】
2015045975.tif 000012
【図１１】
2015045975.tif 000013
【図１２】
2015045975.tif 000014
【図１３】
2015045975.tif 000015
【図１４】
2015045975.tif 000016
【図１５】
2015045975.tif 000017
【図１６】
2015045975.tif 000018
【図１７】
2015045975.tif 000019
【図１８】
2015045975.tif 000020
【図１９】
2015045975.tif 000021